(57)【要約】【課題】電源投入から１回目の球払出動作開始までの球抜動作を可能とするとともに、球払出動作開始以降は球払出動作中の球抜動作を禁止することで、品質信頼性の向上を図る。【解決手段】制御装置２への電源投入に伴う球抜禁止フラグの解除で球抜動作が許可されていることで、制御装置２への電源投入から１回目の球払出動作開始までは、人が球抜スイッチ２０を操作することで、払出機構４が球抜駆動する。また、入賞信号が識別されると、球抜禁止フラグが設定された後、払出機構４が球払出駆動する。そして、入賞に伴う球払出が開始された以降は球抜禁止フラグが設定されており、球抜処理に移行せず、制御装置２への電源投入後に、球払出動作が行われた以降は、人が球抜スイッチ２０を操作しても球抜動作に移行しない。【選択図】        図１
2004181127.tif 000002
【特許請求の範囲】
【請求項１】
球を遊技者の側に払い出す球払出動作と遊技店の側に排出する球抜動作とをアクチュエータで行うパチンコ機の球払出装置において、アクチュエータを電気的に制御する制御装置に、電源供給に伴い球抜禁止フラグを解除する初期設定手段と、球抜禁止フラグが解除ならば球払出動作中か否かを判断する動作判定手段と、球払出動作中ならば球抜禁止フラグを設定するフラグ設定手段と、球抜禁止フラグが設定ならば球抜動作を禁止する球抜動作禁止手段と、球抜禁止フラグが解除ならば球抜動作を許可する球抜動作許可手段とを備えたことを特徴とするパチンコ機の球払出装置。
【請求項２】
アクチュエータが三叉路の交差点に配置されたスプロケットを回転駆動する１個のステップモータにより構成されたことを特徴とする請求項１記載のパチンコ機の球払出装置。
【発明の詳細な説明】
【０００１】
【発明の属する技術分野】
本発明はパチンコ機の球を遊技者の側に払い出す球払出動作と遊技店の側に排出する球抜動作とをアクチュエータで行う球払出装置に関する。
【０００２】
【従来の技術】
従来のパチンコ機の球払出装置は、パチンコ機の裏側に設けられた払出機構における三叉路の交点内に配置したスプロケットをステップモータのようなアクチュエータで一方向に回転駆動することで、三叉路における１つの通路ともう１つの通路とを使用して球をパチンコ機の裏側からパチンコ機の前側の受皿に払い出す球払出動作を行う一方、上記スプロケットをアクチュエータで他方向に回転駆動することで、上記１つの通路と上記以外の他方のもう１つの通路とを使用して球をパチンコ機の裏側から当該パチンコ機の設置されるパチンコ店の島と呼ばれるような遊技機設置設備に排出する球抜動作を行うようになっている（例えば、特許文献１；２参照）。
【０００３】
【特許文献１】
特開２０００−２６２７００号公報（図３）
【特許文献２】
特開平１０−１５１８７号公報（第１頁、要約、図４）
【０００４】
【発明が解決しようとする課題】
しかしながら、球抜動作はパチンコ機の前側において、操作者がパチンコ機の前面に設けられた操作孔から針金のような操作棒を挿入することで、球抜レバーを仲介させて球抜スイッチを操作するか、または、球抜スイッチを直接的に操作することで、アクチュエータを球抜動作方向に回転駆動する構造になっている。このため、払出機構が賞球または貸球を払い出している球払出動作中において、例えば、遊技者が興味本位で上記操作孔に針金などの棒を挿入した場合、球抜スイッチがオン動作し、アクチュエータが球抜動作方向に回転駆動し、払出機構が球抜動作になってしまうという問題点があった。
【０００５】
そこで、本発明は、電源投入後に球払出動作を開始した以降の球抜動作を禁止して品質信頼性を向上することができるパチンコ機の球払出装置を提供するものである。
【０００６】
【課題を解決するための手段】
本発明にあっては、球を遊技者の側に払い出す球払出動作と遊技店の側に排出する球抜動作とをアクチュエータで行うパチンコ機の球払出装置において、アクチュエータを電気的に制御する制御装置に、電源供給に伴い球抜禁止フラグを解除する初期設定手段と、球抜禁止フラグが解除ならば球払出動作中か否かを判断する動作判定手段と、球払出動作中ならば球抜禁止フラグを設定するフラグ設定手段と、球抜禁止フラグが設定ならば球抜動作を禁止する球抜動作禁止手段と、球抜禁止フラグが解除ならば球抜動作を許可する球抜動作許可手段とを備えたことによって、制御装置が電力供給で起動してから球払出動作開始までは人がパチンコ機の前側から球抜スイッチをオン動作すれば球抜動作を実行し、制御装置が電力供給で起動した以降、１回でも球払出動作が開始した場合は、人がパチンコ機の前側から球抜スイッチをオン動作しても球抜動作を禁止するので、品質信頼性を向上することができる。また、本発明にあっては、アクチュエータが三叉路の交差点に配置されたスプロケットを回転駆動する１個のステップモータにより構成されれば、球払出動作と球抜動作とを別々のアクチュエータで行う場合に比べ、１個のステップモータの回転方向を切り替える球払出動作と球抜動作とを切り替えることができ、球払出動作と球抜動作との切り替えを容易に行うことができる。
【０００７】
【発明の実施の形態】
図１および図２は一実施形態であって、図１はパチンコ機の球払出装置を示し、図２はフローチャートを示す。図１を参照し、パチンコ機１の球払出装置について説明する。図１では、パチンコ機１の裏側に設けられた払出機構４として、ステップモータのようなアクチュエータ１６が３つの通路１２；１３；１４からなる三叉路の交差点に配置されたスプロケット１５を球払出駆動（矢印Ｘ１方向に回転駆動）する場合と、スプロケット１５を球抜駆動（矢印Ｘ２方向に回転駆動）する場合とに使い分けられる機構を例として説明する。スプロケット１５は回転体の周面から回転中心方向に１個の球を収納可能に窪む複数の切欠部を周方向に等間隔を隔てて備えた球払出体である。
【０００８】
払出機構４の球払出動作について説明すると、パチンコ機１の裏側における制御装置２が電力供給で起動し、パチンコ機１の裏側におけるタンク３に球が貯蔵されており、払出機構４の球切れ検出器５が球を検出したオン信号を制御装置２に出力し、パチンコ機１の前側における受皿６に球が入れられた状態において、パチンコ機１の前側におけるハンドルグリップと呼ばれるような球発射操作機構７が遊技者で操作されると、その操作量に応じてパチンコ機１の内部における球発射機構８が受皿６から供給された球を１個ずつパチンコ機１の内部における遊技主体である遊技盤９の遊技領域に向けて発射する。
【０００９】
この発射された球が遊技盤９の遊技領域に配置された複数の入賞部品１０のいずれかに入賞し、その入賞した球を検出した入賞球検出器１１が入賞信号を制御装置２に出力する。入力信号が入力された入力ポートの位置の違いで、制御装置２はどの入賞部品１０に対応する入賞球検出器１１からの入賞信号であるかを識別した後、アクチュエータ１６を球払出制御する。これによって、スプロケット１５が球払出駆動するのに伴い、払出機構４が上記入賞という遊技の結果に対する賞として換金性の有る球を受皿６に払い出す。この払出機構４の球払出動作の開始に伴い、タンク３からの球が三叉路における１つの通路１２からもう１つの通路１３に移動する過程において、払出機構４の計数検出器１７が当該通路１３を通過する球を検出して計数信号を制御装置２に出力する。制御装置２は計数信号をカウントアップし、そのカウントアップした検出払出数が上記入賞に対する払い出すべき設定払出数と一致する場合、または、上記入賞に対する払い出すべき設定払出数を入力した検出払出数に相当する計数信号で減算し、その減算値が「０」になった場合、アクチュエータ１６を停止制御する。
【００１０】
払出機構４の球抜動作について説明すると、人がパチンコ機１の前側から操作棒１９をパチンコ機１の前面に設けられた球抜操作孔１８からパチンコ機１の内部に設置された球抜スイッチ２０の釦２１を押圧操作すると、球抜スイッチ２０が球抜信号を制御装置２に出力する。制御装置２は球抜スイッチ２０からの球抜信号により、アクチュエータ１６を球抜制御する。これによって、スプロケット１５が球抜駆動するのに伴い、タンク３からの球が三叉路における１つの通路１２から前記と別のもう１つの通路１４を経由して図外の遊技機設置設備に排出される。
【００１１】
とりわけ、本実施形態の場合、電源投入から球払出動作開始までの球抜動作を可能とするとともに、当該球払出動作開始後は球抜動作を禁止することから、制御装置２はマイクロコンピュータがＲＯＭに格納されたプログラムで動作することで図２に示すステップ１０１−１０７で表されるフローチャートを実行する初期設定手段３１、動作判定手段３２、フラグ設定手段３３、球抜動作禁止手段３４および球抜動作許可手段３５を備える。
【００１２】
初期設定手段３１はステップ１０１において電源供給に伴い球抜禁止フラグを解除する。動作判定手段３２はステップ１０２において球払出動作中か否かを判断する。具体的には、入賞信号を識別している場合、アクチュエータ１６が矢印Ｘ１方向に回転駆動している場合、ＲＡＭのようなメモリに入賞に対する払い出すべき設定払出数が記憶されて残存している場合、ＲＡＭのようなメモリに台間球貸機２３からの球貸の未払いに対する払い出すべき設定貸出数が記憶されて残存している場合などのいずれかの場合には、動作判定手段３２が球払出動作中と判断し（ステップ１０２がＹＥＳの場合）、その判定結果をフラグ設定手段３３に転送する。一方、入賞信号を識別していない場合、アクチュエータ１６が矢印Ｘ１方向に回転駆動していない場合、ＲＡＭのようなメモリに入賞に対する払い出すべき設定払出数が記憶されて残存していない場合、ＲＡＭのようなメモリに台間球貸機２３からの球貸の未払いに対する払い出すべき設定貸出数が記憶されて残存していない場合などのいずれかの場合には、動作判定手段３２が球払出動作中でないと判断し（ステップ１０２がＮＯの場合）、その判定結果を球抜動作許可手段３５に転送する。フラグ設定手段３３は動作判定手段３２から球払出動作中の判定結果を受け取った場合にステップ１０３において球抜禁止フラグを設定する。
【００１３】
つまり、制御装置２では電力供給による起動から球払出動作開始までは球抜禁止フラグが解除されているとともに、球抜動作許可手段３５（ステップ１０５におけるＮＯの側の処理）で球抜動作が許可されている。よって、制御装置２への電源投入から１回目の球払出動作開始までは、人が球抜スイッチ２０を操作することで、ステップ１０６がＹＥＳとなり、払出機構４が球抜駆動し、おわりに移行して処理が終了する。球抜動作許可手段３５による球抜動作が許可されていても、人が球抜スイッチ２０を操作しなければ、ステップ１０６がＮＯとなり、ステップ１０２に移行して処理を繰り返す。
【００１４】
また、制御装置２では電力供給による起動後に入賞信号が識別されると、ステップ１０２がＹＥＳとなり、ステップ１０３において球抜禁止フラグが設定された後、球抜動作禁止手段３４がステップ１０４における球払出処理を実行して払出機構４を球払出駆動する。そして、ステップ１０５の球抜禁止フラグが設定されていれば、ステップ１０２に移行して処理を繰り返し、ステップ１０７の球抜処理に移行することはないので、結果的に、制御装置２への電源投入以降、球払出動作を行った場合、人が球抜スイッチ２０を操作しても球抜動作に移行しない。
【００１５】
要するに、本実施形態の構成によれば、初期設定手段３１、動作判定手段３２、フラグ設定手段３３、球抜動作禁止手段３４および球抜動作許可手段３５が制御装置２への電力供給に伴い払出機構４における球払出動作と球抜動作とを監視し、電源投入に伴う球抜禁止フラグの解除で球抜操作を許可しているので、電源投入から１回目の球払出動作開始までは球抜信号の入力を契機として払出機構４が球抜動作する（ステップ１０１、ステップ１０５のＮＯ、ステップ１０６のＹＥＳ、ステップ１０７参照）一方、１回目の入賞信号に伴う球抜禁止フラグ設定で球抜動作を禁止しているので、電源投入後に球払出動作が１回でも開始した以降は球抜信号が入力しても払出機構４が球抜動作に移行しない（ステップ１０２のＹＥＳ、ステップ１０３、ステップ１０４、ステップ１０５のＹＥＳ参照）。よって、電源投入から１回目の球払出動作開始までの球抜動作を可能とするとともに、球払出動作が１回でも開始した以降は球抜動作を禁止して品質信頼性を向上することができる。また、アクチュエータ１６が三叉路の交差点に配置されたスプロケット１５を回転駆動する１個のステップモータにより構成されているので、ステップモータを正転（矢印Ｘ１方向の回転）と逆転（矢印Ｘ２方向の回転）とに駆動することで、球払出動作と球抜動作とを複数のアクチュエータで個別に行う場合に比べて、１個のステップモータの回転方向を切り替えることで、球払出動作と球抜動作とを切り替えることができ、球払出動作と球抜動作との切り替えを容易に行うことができる。
【００１６】
図示は省略するが、スプロケット１５に爪車を一緒に回転するように設け、電磁ソレノイドによるアクチュエータ１６で動作する爪が爪車に係合することで球払出を停止し、アクチュエータ１６の動作で爪が爪車から解除することで球払出を開始する一方、球がスプロケット１５に絡む部分よりも上流側（タンク３の側）で通路１２が切替通路を含む構造であって、当該切替通路が上記と別の電磁ソレノイドによるアクチュエータで動作する形態とし、このアクチュエータが球抜スイッチ２０のオン動作を契機とする制御装置２で制御すれば、同様に適用することができる。この場合、切替通路の上端部が通路１２に対して回転可能に軸で連結されており、切替通路がアクチュエータで球抜側に移動すると、切替通路の下端部が遊技機設置設備を指向し、その結果、タンク３の側の球が通路１２から切替通路を経由して遊技機設置設備に排出される。また、切替通路がアクチュエータで球払出側に移動すると、切替通路の下端部が通路１３を指向し、その結果、タンク３の側の球が通路１２から通路１３を経由して受皿６に払い出される。この場合、通路１４は球が行かないように閉鎖された形態である。
【図面の簡単な説明】
【図１】一実施形態に係るパチンコ機の球払出装置を示す模式図。
【図２】同実施形態のフローチャート。
【符号の説明】
１  パチンコ機、２  制御装置、４  払出機構、１２；１３；１４  通路、
１５  スプロケット、１６  アクチュエータ、１７  計数検出器、
１８  球抜操作孔、１９  操作棒、２０  球抜スイッチ、
３１  初期設定手段、３２  動作判定手段、３３  フラグ設定手段、
３４  球抜動作禁止手段、３５  球抜動作許可手段。
【図１】
2004181127.tif 000003
【図２】
2004181127.tif 000004